(57)【特許請求の範囲】
【請求項１】
室内外を仕切る面材を支持する合成樹脂製の枠体を備えた建具と、
前記枠体より高い剛性および前記枠体と異なる熱膨張率を備え、前記枠体の外周側であって躯体よりも屋外側に配置され、前記枠体を前記躯体に固定するための固定部材と、
を有し、
前記枠体は、外周部から前記固定部材側に向かって突出して当該固定部材と接合される接合片を有しており、
前記接合片は、前記躯体よりも屋外側にて、前記枠体より高い剛性および前記枠体と異なる熱膨張率を備えた補強部材と前記固定部材とに挟まれて前記固定部材と接合され、屋外側が前記固定部材により覆われていることを特徴とする建具ユニット。
【請求項２】
請求項１に記載の建具ユニットであって、
前記接合片と前記固定部材との間には、弾性変形可能な止水材が設けられていることを特徴とする建具ユニット。
【請求項３】
請求項１または請求項２に記載の建具ユニットであって、
前記枠体は、上下に間隔を隔てて設けられる横の枠材と、左右に間隔を隔てて設けられる縦の枠材とが枠組みされており、
前記接合片は、各々の前記枠材の長手方向に沿って全長に亘って設けられ、
前記補強部材は、各々の前記接合片の長手方向に沿ってそれぞれ設けられていることを特徴とする建具ユニット。
【請求項４】
請求項３に記載の建具ユニットであって、
前記補強部材と各々の前記接合片は、当該接合片毎に一箇所で前記固定部材に固定されていることを特徴とする建具ユニット。
【請求項５】
請求項４に記載の建具ユニットであって、
前記縦の枠材における前記固定部材に対する固定箇所は、下端側に設けられていることを特徴とする建具ユニット。
【発明の詳細な説明】
【技術分野】
【０００１】
本発明は、室内外を仕切る面材を支持する合成樹脂製の枠体を備えた建具と、枠体を躯体に固定するための固定部材とを有する建具ユニットに関する。
【背景技術】
【０００２】
室内外を仕切る面材を支持する合成樹脂製の枠体を備えた建具と、枠体を躯体に固定するための固定部材とを有する建具ユニットとしては、例えば、建物開口部に取り付けられた支持枠と、支持枠内に配置された窓枠と、窓枠内に配置され面材を備えた障子とを有する横辷り出し窓が知られている（例えば、特許文献１参照）。この横辷り出し窓の窓枠および障子は、直接柱などの躯体に取り付けるタイプの建具であり、支持枠および窓枠がアルミ形材で構成されており、支持枠が躯体に釘やビスで固定され、窓枠は支持枠にビス等で固定されている。
【先行技術文献】
【特許文献】
【０００３】
【特許文献１】特許第４００９４４９号公報
【発明の概要】
【発明が解決しようとする課題】
【０００４】
近年、建具の断熱性をより向上させるために、枠および障子の框が合成樹脂により形成された合成樹脂製の建具の需要が高まっている。合成樹脂製の建具は、真夏の日差しや火災などにより建具の室内外に温度差が生じると、高温側の部位が低温側の部位より伸長して反りや歪みが生じる虞がある。このような反りや歪みが建具の固定部に生じると水密性が低下する虞がある。
【０００５】
本発明は、かかる課題に鑑みてなされたものであり、その目的とするところは、室内外に温度差が生じても建具が接合される部位に反りや歪みが生じにくい建具ユニットを提供することにある。
【課題を解決するための手段】
【０００６】
かかる目的を達成するために本発明の建具ユニットは、室内外を仕切る面材を支持する合成樹脂製の枠体を備えた建具と、前記枠体より高い剛性および前記枠体と異なる熱膨張率を備え、前記枠体の外周側であって躯体よりも屋外側に配置され、前記枠体を前記躯体に固定するための固定部材と、を有し、前記枠体は、外周部から前記固定部材側に向かって突出して当該固定部材と接合される接合片を有しており、前記接合片は、前記躯体よりも屋外側にて、前記枠体より高い剛性および前記枠体と異なる熱膨張率を備えた補強部材と前記固定部材とに挟まれて前記固定部材と接合され、屋外側が前記固定部材により覆われていることを特徴とする建具ユニットである。
【０００７】
このような建具ユニットによれば、合成樹脂製の枠体を躯体に固定するための固定部材と接合される接合片は、合成樹脂製の枠体より高い剛性および合成樹脂製の枠体と異なる熱膨張率を備えた固定部材と補強部材とに挟まれて接合されることにより補強されるので、たとえ建具の室内外に温度差が生じたとしても反りや歪みが生じにくい。このため、室内外に温度差が生じたとしても建具が接合される部位に反りや歪みが生じにくい建具ユニットを提供することが可能である。
【０００８】
かかる建具ユニットであって、前記接合片と前記固定部材との間には、弾性変形可能な止水材が設けられていることが望ましい。
このような建具ユニットによれば、接合片と固定部材との間に弾性変形可能な止水材が設けられているので、建具が接合されている部位において、接合片を有する枠体と固定部材との間の水密性を確保することが可能である。
【０００９】
かかる建具ユニットであって、前記枠体は、上下に間隔を隔てて設けられる横の枠材と、左右に間隔を隔てて設けられる縦の枠材とが枠組みされており、前記接合片は、各々の前記枠材の長手方向に沿って全長に亘って設けられ、前記補強部材は、各々の前記接合片の長手方向に沿ってそれぞれ設けられていることが望ましい。
このような建具ユニットによれば、各枠材の長手方向に沿って全長に亘って設けられた接合片の長手方向に沿って、補強部材が、それぞれ設けられているので、枠体の全周に亘って接合片の反りや歪みを防止することが可能である。
かかる建具ユニットであって、前記補強部材と各々の前記接合片は、当該接合片毎に一箇所で前記固定部材に固定されていることが望ましい。
【００１０】
このような建具ユニットによれば、補強部材と各々の接合片とは、接合片毎に一箇所にて固定部材に固定されているので、補強部材、接合片、固定部材の各々の伸縮量が互いに相違したとしても、互いに他の伸縮を規制しない。このため、補強部材、接合片、固定部材の伸縮量が相違したとしても接合片に反りや歪みが生じることを防止することが可能である。また、固定部材に固定されている補強部材および接合片は各々、固定されている部位を基準として伸縮するので、枠体と固定部材とを所望の位置に留めておくことが可能である。
【００１１】
かかる建具ユニットであって、前記縦の枠材における前記固定部材に対する固定箇所は、下端側に設けられていることが望ましい。
建具は躯体に支持されて重量が作用しているので、下方には伸長し難い。このため、接合片と固定部材とを上端部側で固定すると、反りや歪みがより大きく生じてしまう虞がある。そこで、接合片と固定部材とを下端部側で固定することにより、枠体と固定部材とを上下方向に伸縮させて反りや歪みを抑えつつ、枠体を所定の位置に留めてことが可能である。
【発明の効果】
【００１２】
本発明によれば、室内外に温度差が生じても建具が接合される部位に反りや歪みが生じにくい建具ユニットを提供することが可能である。
【図面の簡単な説明】
【００１３】
【図１】本発明に係る実施形態の引き違い窓用の建具を備えた建具ユニットを示す縦断面図である。
【図２】本発明に係る実施形態の引き違い窓用の建具を備えた建具ユニットを示す横断面図である。
【図３】固定部材と枠体とが接合されている部分を示す横断面図である。
【図４】接合片の外周側に止水材を備えた固定部材と枠体との接合部分の変形例を示す横断面図である。
【図５】図５（ａ）は、縦固定枠材と横固定枠材とに跨がるように止水材を設けた固定部材と枠体とが接合されている部分を示す横断面図であり、図５（ｂ）は、止水材の配置を説明する図である。
【図６】接合片に止水材を突出させて設けた固定部材と枠体とが接合されている部分を示す横断面図である。
【図７】接合片の室外側に開放された凹部内に止水材を設けた枠体と固定部材とが接合されている部分を示す横断面図である。
【図８】図８（ａ）は、止水材が一体に設けられた接合片を有する枠体と固定部材とが接合されている部分を示す第一実施例の横断面図であり、図８（ｂ）は、第二実施例の横断面図である。
【図９】補強部材の一方の板部を接合片に、他方の板部を枠体の外周面にビス止めした固定部材と枠体とが接合されている部分を示す横断面図である。
【図１０】補強部材の一方の板部を接合片に、他方の板部を枠体の外周面に係止した固定部材と枠体とが接合されている部分を示す横断面図である。
【図１１】板状の補強部材を用いた固定部材と枠体とが接合されている部分を示す横断面図である。
【図１２】室外側からビス止めする固定部材と枠体とが接合されている部分を示す横断面図である。
【図１３】開き窓用の建具を備えた建具ユニットを示す縦断面図である。
【図１４】開き窓用の建具を備えた建具ユニットを示す横断面図である。
【発明を実施するための形態】
【００１４】
以下、本発明に係る建具ユニットについて図面を参照して説明する。
【００１５】
本実施形態の建具ユニット１は、図１、図２に示すように、面材としての複層ガラス１２を備えた２枚の障子１１がスライド自在に設けられ、室内と室外との境界に設けられる引き違い窓用の建具１０と、この建具１０を躯体２に固定するための固定部材２０とを有している。
【００１６】
以下の説明においては、建物等に取り付けられた状態の建具ユニット１を室内側から見たときに、上下となる方向を上下方向、左右となる方向を左右方向、室内外方向である奥行き方向を見込み方向として示す。また、建具ユニット１が備える各部材は、単体の状態であっても建物等に取り付けられた状態にて上下方向、左右方向、奥行き方向となる方向にて方向を特定して説明する。
【００１７】
建具ユニット１が備える建具１０は、２枚の障子１１と、障子１１をスライド自在に支持するとともにスライド方向に案内する枠体１４とを有している。障子１１は複層ガラス１２と、複層ガラス１２の周端部を囲むように収容し矩形状をなす合成樹脂製の框体１３とを有している。
【００１８】
枠体１４は、合成樹脂製の押し出し成形部材でなり、同一の断面形状をなす４本の枠材が、その端部同士を突き合わせて溶着されて矩形状を成している。矩形状をなす枠体１４の内周側には障子１１が納められ、下枠１４１には障子１１を案内するアルミニウム製のレール１５が設けられている。枠体１４の外周側には、各々枠材の外周面１４ａにおける室外側の端縁に、外周側に突出させて固定部材２０と接合される接合片１４ｂが設けられている。各接合片１４ｂには、枠体１４と固定部材２０とを接合するためのビス４が貫通される貫通孔(不図示)が各々設けられている。
【００１９】
固定部材２０は、アルミニウム製の押し出し成形部材でなり、左右に配置された２本の縦固定形材２１の上下端部間に横固定形材を側方からビス止めして矩形状に形成されている。以下の説明においては、矩形状をなす固定部材２０および枠体１４に囲まれた内側の空間側を内周側、反対側を外周側として説明する。
【００２０】
上側の横固定形材である上固定形材２２は、長手方向に貫通する上第１中空部２２ａを形成する上本体部２２１と、上本体部２２１の上第１中空部２２ａを形成し躯体２の室外側面に当接される室内側の壁部をなす上内壁部２２２が上方に延出されて躯体２にビス止めされる上固定ヒレ状部２２３と、上本体部２２１の上第１中空部２２ａを形成する室外側の壁をなす上外壁部２２４が下方に延出された上延出壁部２２５と、上延出壁部２２５の室内側に上延出壁部２２５と間隔を隔てて設けられた上対向壁部２２６と、上延出壁部２２５の下端と上対向壁部２２６の下端とを連結するとともに上対向壁部２２６より室内側に突出された上連結部２２７とを有している。上第１中空部２２ａを形成する上下の部位には、左右の縦固定形材２１と連結するためのビスが螺合されるビス螺合部２２１ａがそれぞれ設けられている。また、上本体部２２１の下面部２２１ｂ、上延出壁部２２５、上対向壁部２２６、上連結部２２７により囲まれた部位が、長手方向に貫通する上第２中空部２２ｂを成している。
【００２１】
固定部材２０が躯体２をなすまぐさ２ａに取り付けられた状態で、上対向壁部２２６とまぐさ２ａとの間には、枠体１４の上側の接合片１４ｂが配置される。このため、固定部材２０が取り付けられたまぐさ２ａと上対向壁部２２６より室側に突出された上連結部２２７の先端との、見込み方向における間隔は、接合片１４ｂの見込み方向の厚みより広くなるように構成されている。
【００２２】
また、上対向壁部２２６には、まぐさ２ａ側に突出させて互いに上下方向に間隔を隔てて２つの上リブ２２８が長手方向に沿って設けられている。２つの上リブ２２８の突出量は、上連結部２２７の上対向壁部２２６からの突出量とほぼ同じである。２つの上リブ２２８間には見込み方向に進入するビス４が螺合可能であり、２つの上リブ２２８の間隔は螺合されるビス４のねじ部の径より僅かに狭く形成され、２つのリブ２２８間においては上対向壁部２２６の厚みが他の部位より厚く形成されている。ここで、上対向壁部２２６および２つの上リブ２２８は上固定形材２２の全長に亘って設けられているので、ビス４は上固定形材２２の全長においていずれの位置にも螺合させることが可能である。上連結部２２７と２つの上リブ２２８のうちの下側に位置する上リブ２２８との間には、上固定形材２２の全長に亘って弾性変形可能な止水材５が、２つの上リブ２２８および上連結部２２７の先端よりまぐさ２ａ側に僅かに突出するように設けられている。
【００２３】
下側の横固定形材である下固定形材２３は、上固定形材２２に対して、ほぼ上下が反転した対称形状をなしている。このため、以下の説明においては、下固定形材２３の、上固定形材２２と対応する各部位の名称を、上固定形材の各部位の名称における先頭の文字を「下」とし、符号は下固定形材を示す数字「２３」にアルファベットを付して説明は省略する。
【００２４】
下固定形材２３は、上固定形材２２の上延出壁部２２５、上対向壁部２２６と対応する下延出壁部２３５、下対向壁部２３６が、いずれも上延出壁部２２５、上対向壁部２２６より短く形成されている。そして、下固定形材２３が躯体２をなす窓台２ｂに取り付けられた状態で、下対向壁部２３６と窓台２ｂとの間に、枠体１４の下側の接合片１４ｂが挿入されると、接合片１４ｂの下端が下本体部２３１上に当接するように構成されている。また、下固定形材２３には、下本体部２３１の下第１中空部２３ａを形成する下内壁部２３２が上方に延出されて延出片２３０が設けられている。
【００２５】
左右の縦固定形材２１は、左右が反転した対称形状をなしている。縦固定形材２１の説明においては、左右に配置された互いに対向する側が内周側となり、反対側が外周側となる。
【００２６】
縦固定形材２１は、上固定形材２２における上第１中空部２２ａと上第２中空部２２ｂとが繋がった縦中空部２１ａを形成する縦本体部２１１と、縦本体部２１１の縦中空部２１ａを形成し躯体２に当接される室内側の壁部をなす縦内壁部２１２が外側に延出されて躯体２にビス止めされる縦固定ヒレ状部２１３と、上固定形材２２の上対向壁部２２６、２つの上リブ２２８および上連結部２２７の上対向壁部２２６よりまぐさ２ａ側に突出した部位とそれぞれ対応する縦対向壁部２１６、２つの縦リブ２１８および縦突起２１７とを有している。
【００２７】
下対向壁部２３６と窓台２ｂとの間および縦対向壁部２１６と柱２ｃとの間には、枠体１４の下の端部および左右の端部に設けられた接合片１４ｂが配置される。このため、下対向壁部２３６より窓台２ｂ側に突出された下突起２３７の先端と窓台２ｂおよび縦対向壁部２１６より柱２ｃ側に突出された縦突起２１７の先端と柱２ｃとの、見込み方向における間隔は、接合片１４ｂの見込み方向の厚みより広く形成されている。また、下突起２３７と２つの下リブ２３８のうちの内側に位置する下リブ２３８との間および縦突起２１７と２つの縦リブ２１８のうちの内側に位置する縦リブ２１８との間には、下固定形材２３および縦固定形材２１の全長に亘って止水材５が、２つの下リブ２３８および下突起２３７の先端より窓台２ｂ側に、２つの縦リブ２１８および縦突起２１７の先端より柱２ｃ側にそれぞれ僅かに突出するように設けられている。
【００２８】
本実施形態の建具ユニット１は、２つの縦固定形材２１、上固定形材２２および下固定形材２３を矩形状に形成した固定部材２０に、建具１０の矩形状に溶着された枠体１４が取り付けられる。より具体的には、まず、固定部材２０の各形材２１、２２、２３が有する縦対向壁部２１６、上対向壁部２２６および下対向壁部２３６が固定部材２０の内周側にて繋がって形成され、各形材２１、２２、２３の縦内壁部２１２、上内壁部２２２および下内壁部２３２より室外側に窪む矩形状の凹部に、矩形状に接合された枠体１４の４つ部材が各々有する接合片１４ｂを配置する。このとき、各接合片１４ｂの室外側の面を、縦対向壁部２１６、上対向壁部２２６および下対向壁部２３６に各々設けられた止水材５に当接させて枠体１４を配置する。
【００２９】
次に、図３に示すように、各接合片１４ｂの室内側に後述する鉄製の補強部材３０を当接させて、室内側から補強部材３０、３３および接合片１４ｂを貫通するビス４を縦対向壁部２１６、上対向壁部２２６および下対向壁部２３６が各々有する２つのリブ２１８、２２８、２３８間に螺合させて、枠体１４と固定部材２０とを接合する。
【００３０】
補強部材３０、３３は、上枠１４３および縦枠１４２の接合片１４ｂとともに接合される補強部材３０と下枠１４１の接合片１４ｂとともに接合される補強部材３３とは相違している。
【００３１】
補強部材３０は、断面がＬ字状をなし、枠体１４を形成する合成樹脂より高い剛性を備え、枠体１４を形成する合成樹脂と熱膨張率が異なる、例えば鉄製の部材である。補強部材３０は、Ｌ字状をなす一方の板部３１が、接合片１４ｂの全長および枠体１４の外周面１４ａから突出している幅とほぼ同じ大きさに形成されて接合片１４ｂの室内側の面に当接され、他方の板部３２が、枠体１４の外周面１４ａに沿うように配置されて、接合片１４ｂとともに固定部材２０にビス４により接合される。このため、補強部材３０の一方の板部３１にはビス４が貫通される貫通孔（不図示）が設けられている。このとき縦枠１４２の接合片１４ｂは長手方向における下端側にて一箇所でビス止めされ、横枠をなす上枠１４３と下枠１４１の接合片１４ｂは長手方向におけるほぼ中央にて一箇所でビス止めされる。
【００３２】
下枠１４１の接合片１４ｂに接合される補強部材３３は、接合片１４ｂに当接される一方の板部３１は、上枠１４３および縦枠１４２の接合片１４ｂに接合される補強部材３０と同じであるが、枠体１４の外周面１４ａに沿うように配置される他方の板部３２が補強材３０より室内側に長く形成されており、室内側の端部が下方に突出した突出部３４を有している。また、他方の板部３２には、一方の板部３１および突出部３４と各々互いに間隔を隔てた位置に突出部３４と同量だけ下方に突出する突出片３５が設けられている。補強部材３３に設けられた突出部３４と突出片３５は、補強部材３３が枠体１４に取り付けられた建具ユニット１が躯体２に取り付けられる際に、窓台２ｂ上に配置されて建具ユニット１を支持するように構成されている。
【００３３】
ビス４がリブ２１８、２２８、２３８に螺合されることにより、接合片１４ｂは、固定部材２０の縦対向壁部２１６、上対向壁部２２６および下対向壁部２３６と固定部材３０とに挟まれて接合される。このとき、ビス４を締め込むことにより、接合片１４ｂと縦対向壁部２１６、上対向壁部２２６および下対向壁部２３６とにより止水材５が見込み方向に圧縮され、接合片１４ｂの室外側の面が、縦突起２１７、上連結部２２７の突起、下突起２３７および各リブ２１８、２２８、２３８に当接される。
【００３４】
固定部材２０が取り付けられた枠体１４を、まぐさ２ａ、窓台２ｂおよび左右の柱２ｃ等の躯体２により形成された開口に室外側から装着し、開口内に枠体１４を挿入するとともに固定部材２０を躯体２の室外側面に当接させる。このとき、枠体１４とまぐさ２ａおよび左右の柱２ｃとの間には、適宜飼い木６を備えて位置を調整する。その後、まぐさ２ａ、窓台２ｂおよび左右の柱２ｃに当接された上固定ヒレ状部２２３、下固定ヒレ状部２３３、縦固定ヒレ状部２１３を各々、まぐさ２ａ、窓台２ｂおよび左右の柱２ｃにビス止めする。室内側には、内壁材７の端部を覆うように備えた額縁８に枠体１４をビス止めする。このとき、枠体１４を枠体の内周側からまぐさ２ａ、窓台２ｂおよび左右の柱２ｃに向かって進入するビスにて接合してもよい。
【００３５】
本実施形態の建具ユニット１によれば、合成樹脂製の枠体１４を躯体２に固定するための固定部材２０と接合する接合片１４ｂは、合成樹脂製の枠体より高い剛性および合成樹脂製の枠体と異なる熱膨張率を備えた固定部材２０と補強部材３０、３３とに挟まれて接合されるので、たとえ建具１０の室内外に温度差が生じたとしても接合片１４ｂに反りや歪みが生じることを抑えることが可能である。このため、室内外に温度差が生じても建具１０を接合している部位に反りや歪みが生じにくい建具ユニット１を提供することが可能である。
【００３６】
また、接合片１４ｂと固定部材２０との間に弾性変形可能な止水材５が設けられているので、建具１０を接合している部位において、接合片１４ｂを有する枠体１４と固定部材２０との間の水密性を確保することが可能である。
【００３７】
また、補強部材３０、３３が、各枠材１４１、１４２、１４３の長手方向に沿って全長に亘って設けられた接合片１４ｂの長手方向に沿ってそれぞれ設けられているので、枠体１４の全周に亘って接合片１４ｂの反りや歪みを防止することが可能である。
【００３８】
また、補強部材３０、３３と各々の接合片１４ｂとは、接合片１４ｂ毎に一箇所にて固定部材２０にビス止めされているので、補強部材３０、３３、接合片１４ｂ、固定部材２０の各々の伸縮量が相違したとしても、互いに他の伸縮を規制し合わない。このため、補強部材３０、３３、接合片１４ｂ、固定部材２０の伸縮量が相違したとしても接合片１４ｂに反りや歪みが生じることを防止することが可能である。また、固定部材２０に固定されている補強部材３０、３３および接合片１４ｂは各々、固定されている部位を基準として伸縮するので、枠体１４を固定部材２０に対して所望の位置に留めておくことが可能である。
【００３９】
このとき、建具１０の重量は躯体２に支持されているので、枠体１４は下方には伸長し難く、接合片１４ｂと固定部材２０とが上端部側で固定されていると、反りや歪みがより大きく生じてしまう虞がある。そこで、縦枠１４２の接合片１４ｂおよび補強部材３０、３３と固定部材２０とを下端部側で固定することにより、縦枠１４２の接合片１４ｂおよび補強部材３０、３３と固定部材２０とを上下方向に伸縮させて反りや歪みを抑えつつも、枠体１４を所定の位置に留めてことが可能である。このとき、図４に示すように、弾性変形可能な止水材５を接合片１４ｂおよび補強部材３０の一方の板部３１の外周側に配置し縦固定形材２１と接合片１４ｂおよび補強部材３０とで挟む構成とすると、止水材５により高い水密性を確保するとともに、枠体１４と固定部材２０との相対移動を、止水材５により、より確実に規制することも可能である。
【００４０】
また、固定部材２０は、枠体１４を取り付ける前に、２つの縦固定形材２１、上固定形材２２および下固定形材２３が矩形状に枠組みされているので、止水材５ａ、５ｂを、縦固定形材２１、上固定形材２２、下固定形材２３のうち互いに隣り合う部材間に繋げて設けておくことが可能である。例えば、図５（ａ）に示すように、縦固定形材２１、上固定形材２２、下固定形材２３の縦対向壁部２１６、上対向壁部２２６、下対向壁部２３６に各々、長手方向に沿って２本の溝部２１６ａ、２２６ａ、２３６ａを、矩形状の固定部材２０の内周側に並べて、溝部２１６ａ、２２６ａ、２３６ａの開放されている側が室内側を向くように形成し、この溝部２１６ａ、２２６ａ、２３６ａ内に２本の止水材５ａ、５ｂを図５（ｂ）に示すように配置する。すなわち、２本の縦固定形材２１と上固定形材２２に設けられた２本の溝部２１６ａのうちの外周側の溝部２１６ａに止水材５ａを２本の縦固定形材２１と下固定形材２３とに繋がるように取り付け、２本の縦固定形材２１と上固定形材２２の内周側の溝部２１６ａに止水材５ｂを２本の縦固定形材２１と下固定形材２３とに繋がるように取り付ける。このように２本の止水材５ａ、５ｂを取り付けることにより、縦固定形材２１、上固定形材２２、下固定形材２３に各々別個の止水材を取り付ける場合より継ぎ目が少なくなるため水密性が向上する。また、止水材５は、図６に示すように、止水材５を接合片１４ｂ側に、接合片１４ｂより突出させて縦対向壁部２１６、２２６、２３６に当接するように設けることも可能である。
【００４１】
また、図７に示すように、接合片１４ｂに、室外側に開放されて室内側に窪む対向凹部１４ｆを設け、対向凹部１４ｆ内に止水材５を備えるとともに、縦対向壁部２１６、上対向壁部２２６、下対向壁部２３６に各々、対向凹部１４ｆ内の止水材５に縦リブ２１８を当接させてビス止めする構成としてもよい。このように接合片１４ｂの対向凹部１４ｆ内に設けた止水材５に縦固定形材２１側に設けられた縦リブ２１８が当接する形態とすると、より優れた水密性を備えることが可能である。
【００４２】
以下、接合片１４ｂと固定部材２０とが接合している部位の更なる変形例を接合片１４ｂと縦固定形材２１とが接合している部分を例に挙げて説明するが、接合片１４ｂと上対向壁部２２６および下対向壁部２３６とが接合している部位も同様である。また、以下の説明において、上記実施形態と同一構成については図中で同符号を付して示し、その説明については省略する。
【００４３】
上記実施形態においては、固定部材２０と接合片１４ｂとの間に別体の止水材５を介在させた例について説明したが、これに限らず、例えば、図８（ａ）、図８（ｂ）に示すように、弾性変形可能な軟質の樹脂にて形成される止水材５としての止水片５ｃが接合片１４ｂに一体成形されていても構わない。
【００４４】
また、上記実施形態においては、補強部材３０の一方の板部３１のみを接合片１４ｂとともに枠体１４に接合する例について説明したが、図９に示すように、他方の板部３２も枠体１４の外周面１４ａに接合しても良い。このとき、補強部材は３０をビス等により固定しなくとも、例えば図１０に示すように、枠体１４の外周面１４ａから外周側に突出させて設けられたフック部１４ｃに補強部材３０の他方の板部３２を係止することにより固定しても良い。
【００４５】
上記実施形態においては、補強部材３０を断面Ｌ字状としたが、これに限らず、温度変化による接合片１４ｂの反りや変形を抑えるために必要な剛性が得られれば、例えば図１１に示すように、平坦な板材やその他の形状で補強部材３０を構成してもよい。
【００４６】
また、上記実施形態においては、補強部材３０を接合片１４ｂの室内側に設ける例について説明したが、図１２に示すように、縦固定形材２１の室外側の部位を着脱可能なカバー材２１０とし、カバー材２１０を外した状態で、室外側から進入させたビス４を接合片１４ｂとともに貫通させて縦固定形材２１に螺合して接合した後にカバー材２１０を嵌合する形態としてもよい。この場合には、カバー材２１０を、例えばシャッターレールなど、建具１０とともに用いられる部材とすることも可能である。
【００４７】
上記実施形態においては、建具ユニット１を構成する建具を引き違い窓用の建具１０としたが、これに限らず、例えば図１３、図１４に示すような、開き窓用の建具１００や複層ガラスが固定されたＦＩＸ窓用の建具など面材を直接または框などを介して間接的に支持する枠体を備えた建具であれば構わない。
【００４８】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４９】
１  建具ユニット、２  躯体、２ａ  まぐさ、２ｂ  窓台、２ｃ  柱、４  ビス、
５、５ａ、５ｂ  止水材、５ｃ  止水片、１０  建具、１２  複層ガラス、
１４  枠体、１４ｂ  接合片、２０  固定部材、３０  補強部材、３３  補強部材、
１００  建具、１４１  下枠、１４２  縦枠、１４３  上枠、
【図１】
0006388810.tif 000002
【図２】
0006388810.tif 000003
【図３】
0006388810.tif 000004
【図４】
0006388810.tif 000005
【図５】
0006388810.tif 000006
【図６】
0006388810.tif 000007
【図７】
0006388810.tif 000008
【図８】
0006388810.tif 000009
【図９】
0006388810.tif 000010
【図１０】
0006388810.tif 000011
【図１１】
0006388810.tif 000012
【図１２】
0006388810.tif 000013
【図１３】
0006388810.tif 000014
【図１４】
0006388810.tif 000015